(57)【要約】      （修正有）【課題】生成した画像データを無線通信にて外部へ送信可能な放射線撮影装置において、画像データの送信を停止させることなく無線モジュールの発熱を抑制する。【解決手段】シンチレーター及びセンサー基板２３を有するセンサーパネル２ａと、センサー基板２３の各画素が蓄積した電荷に基づいて画像データを生成する画像生成手段と、複数のアンテナを備え、画像生成手段が生成した画像データを無線通信にて外部へ送信することが可能な無線モジュール２５と、センサーパネル２ａにおける無線モジュール２５近傍の部位の温度を測定する第一温度センサー２７と、第一温度センサー２７の測定値に基づいて、無線モジュール２５が画像データの送信に使用するアンテナ２５ｂの本数を制御する通信制御手段と、を備える。【選択図】図５
2019115422.tif 000002
【特許請求の範囲】
【請求項１】
放射線を受けることで発光する平板状のシンチレーター、及び電荷を蓄積可能な複数の画素が二次元状に配列されるとともに前記シンチレーターと平行に広がるよう配置されたセンサー基板を有するセンサーパネルと、
前記センサー基板の各画素が蓄積した電荷に基づいて画像データを生成する画像生成手段と、
複数のアンテナを備え、前記画像生成手段が生成した画像データを無線通信にて外部へ送信することが可能な無線モジュールと、
前記センサーパネルにおける前記無線モジュール近傍の部位の温度を測定する第一温度センサーと、
前記温度センサーの測定値に基づいて、前記無線モジュールが前記画像データの送信に使用するアンテナの本数を制御する通信制御手段と、を備えることを特徴とする放射線撮影装置。
【請求項２】
前記通信制御手段は、
温度センサーの測定値が所定の閾値以上の場合に、前記無線モジュールが前記画像データ送信に使用するアンテナの本数を減らし、
温度センサーの測定値が前記閾値未満の場合に、前記無線モジュールが前記画像データ送信に使用するアンテナの本数を増やすことを特徴とする請求項１に記載の放射線撮影装置。
【請求項３】
前記センサーパネルにおける前記第一温度センサーが温度を測定する部位とは異なる部位の温度を測定する第二温度センサーを備え、
前記通信制御手段は、前記第一温度センサーの測定値と前記第二温度センサーの測定値との差分値に基づいて、前記無線モジュールが前記画像データの送信に使用するアンテナの本数を制御することを特徴とする請求項１に記載の放射線撮影装置。
【請求項４】
前記第一温度センサーは、前記センサーパネルと無線モジュールとの間に設けられていることを特徴とする請求項１から３のいずれか一項に記載の放射線撮影装置。
【請求項５】
放射線を受けることで発光する平板状のシンチレーターと、
電荷を蓄積可能な複数の画素が二次元状に配列されるとともに前記シンチレーターと平行に広がるよう配置されたセンサー基板と、
前記センサー基板の各画素が蓄積した電荷に基づいて画像データを生成する画像生成手段と、
複数のアンテナを備え、前記画像生成手段が生成した画像データを無線通信にて外部へ送信することが可能な無線モジュールと、
前記画像生成手段の動作を規定する撮影モードを、それぞれ生成する画像データのデータ量が異なる複数の撮影モードのいずれかに設定する撮影モード設定手段と、
前記撮影モード設定手段が設定した撮影モードに基づいて、前記無線モジュールが前記画像データの送信に使用するアンテナの本数を制御する通信制御手段と、を備えることを特徴とする放射線撮影装置。
【請求項６】
前記通信制御手段は、前記撮影モード設定手段が前記撮影モードを、複数のフレーム画像からなる動画を撮影する動画撮影モードに設定した場合に、前記無線モジュールが前記画像データ送信に使用するアンテナの本数を増やすことを特徴とする請求項５に記載の放射線撮影装置。
【請求項７】
前記通信制御手段は、前記無線モジュールが前記画像データ送信に使用するアンテナの本数に応じて、アンテナ一本当りの使用電力を制御する電力制御手段を備えることを特徴とする請求項１から６のいずれか一項に記載の放射線撮影装置。
【請求項８】
放射線を発生させる放射線照射装置と、
請求項１から７のいずれか一項に記載の放射線撮影装置と、
前記放射線撮影装置から無線にて画像データを受信し、当該画像データに基づく放射線画像を表示することが可能な画像表示装置と、を備えることを特徴とする放射線撮影システム。
【発明の詳細な説明】
【技術分野】
【０００１】
本発明は、放射線撮影装置及びこの装置を備える放射線撮影システムに関する。
【背景技術】
【０００２】
放射線を受けることで画像データを生成する放射線撮影装置の中には、平板状のシンチレーターと、当該シンチレーターと平行に配置される平板状のセンサー基板と、を備えたいわゆる間接型と呼ばれるものがある。こうした間接型の放射線撮影装置は、シンチレーターが外部から受けた放射線の強度に応じて発光し、センサー基板の各画素がシンチレーターから受けた光の強度に応じて電荷を蓄積し、各画素の電荷量を信号値に変換することで画像データを生成する。
一方、放射線撮影装置の中には、ＦＰＤ（Flat Panel Detector）と呼ばれる可搬型のものがある。こうした可搬型の放射線撮影装置は、外部と無線通信を行うための無線モジュールを搭載し、生成した画像データを画像表示装置へ無線にて送信することが可能となっていることが多い。
【０００３】
しかし、こうした無線通信を行う間接型の放射線撮影装置には、無線モジュールがデータを送信する際に発熱し、それによってシンチレーターの温度が部分的に上昇して一部画素の感度が変動し、生成した画像データに濃度ムラが生じてしまうという問題があった。
そこで、従来、通信中における無線モジュールの温度を監視し、温度が閾値を超えたか否かに応じて送信するデータを変更する技術（特許文献１参照）が提案されている。具体的には、温度が閾値以上の場合にはデータ量の小さいプレビューデータのみを送信し、閾値未満の場合にはプレビュー及び画像データを送信するというものである。
この技術を用いれば、濃度ムラのある画像データが診断に用いられるのを防ぐことができる。
【先行技術文献】
【特許文献】
【０００４】
【特許文献１】特開２０１４−４４１７９号公報
【発明の概要】
【発明が解決しようとする課題】
【０００５】
特許文献１に記載された技術を用いた撮影では、上述したように、無線モジュールの温度が閾値以上になると画像データの送信が行われないが、シンチレーターは、筐体に収納されていることもあり、一旦温度が上昇すると元の温度に戻るまでにある程度時間が掛かる。このため、無線モジュールの温度が一旦閾値以上になり、画像データの送信が止まってしまうと、比較的長時間にわたって画像データを送信できない状態が継続してしまうことになる。
このため、撮影から外部の画像表示装置へ画像が表示されるまでに時間を要し、診断が遅れてしまうということがあった。
【０００６】
本発明は、上記課題に鑑みてなされたものであり、生成した画像データを無線通信にて外部へ送信可能な放射線撮影装置において、画像データの送信を停止させることなく無線モジュールの発熱を抑制することを目的とする。
【課題を解決するための手段】
【０００７】
上記課題を解決するため、本発明の放射線撮影装置は、
放射線を受けることで発光する平板状のシンチレーター、及び電荷を蓄積可能な複数の画素が二次元状に配列されるとともに前記シンチレーターと平行に広がるよう配置されたセンサー基板を有するセンサーパネルと、
前記センサー基板の各画素が蓄積した電荷に基づいて画像データを生成する画像生成手段と、
複数のアンテナを備え、前記画像生成手段が生成した画像データを無線通信にて外部へ送信することが可能な無線モジュールと、
前記センサーパネルにおける前記無線モジュール近傍の部位の温度を測定する第一温度センサーと、
前記温度センサーの測定値に基づいて、前記無線モジュールが前記画像データの送信に使用するアンテナの本数を制御する通信制御手段と、を備えることを特徴とする。
【発明の効果】
【０００８】
本発明によれば、画像データの送信を停止させることなく無線モジュールの発熱を抑制することができる。
【図面の簡単な説明】
【０００９】
【図１】本発明の第１，第２実施形態に係る放射線撮影システムの概略構成を表すブロック図である。
【図２】第１，第２実施形態に係る放射線撮影システムが備える放射線撮影装置の斜視図である。
【図３】図２のIII−III断面図である。
【図４】第１，第２実施形態に係る放射線撮影装置が備えるセンサー基板の平面図である。
【図５】第１実施形態に係る放射線撮影装置の一部の電気的構成を表すブロック図である。
【図６】第１実施形態に係る放射線撮影装置が備える第一温度センサーの配置例を表す模式図である。
【図７】第１実施形態に係る放射線撮影装置が備える第一温度センサー及び第二温度センサーの配置例を表す模式図である。
【図８】第１実施形態に係る放射線撮影装置が実行する通信速度制御処理を表すフローチャートである。
【発明を実施するための形態】
【００１０】
＜第一実施形態＞
以下、本発明の第一実施形態について、図面を参照しながら説明する。しかし、本発明は、図面に図示されたものに限定されるものではない。
【００１１】
〔放射線撮影システムの構成〕
まず、本実施形態に係る放射線撮影システムの概略構成について説明する。図１は、本実施形態の放射線撮影システム１００の構成を表すブロック図である。
本実施形態の放射線撮影システム１００は、図１に示したように、放射線照射装置１や、放射線撮影装置２、画像表示装置３等で構成されている。
また、放射線撮影システム１００は、図示しない放射線科情報システム（Radiology Information System：ＲＩＳ）や、画像記憶通信システム（Picture Archiving and Communication System：ＰＡＣＳ）等と接続可能となっている。
【００１２】
放射線照射装置１は、放射線を発生させるものであり、ジェネレーター１１、曝射スイッチ１２、放射線源１３等を備えている。
ジェネレーター１１は、曝射スイッチ１２が操作されたことに基づいて、予め設定された放射線照射条件（管電圧や管電流、照射時間（ｍＡｓ値）等）に応じた電圧を放射線源１３に印加することが可能に構成されている。
放射線源１３（管球）は、図示しない回転陽極やフィラメント等を有している。そして、ジェネレーター１１から電圧が印加されると、フィラメントが印加された電圧に応じた電子ビームを回転陽極に向けて照射し、回転陽極が電子ビームの強度に応じた線量の放射線Ｘ（Ｘ線等）を生成するようになっている。
【００１３】
なお、図１には、曝射スイッチ１２がジェネレーター１１に接続されたものを例示したが、曝射スイッチ１２は他の装置（例えば図示しない操作卓）に備えられていてもよい。
また、放射線照射装置１は、撮影室内に据え付けてもよいし、回診車等に組み込むことで移動可能に構成してもよい。
【００１４】
放射線撮影装置２は、画像表示装置３と無線で通信可能に接続されている。
そして、放射線撮影装置２は、外部から受ける放射線に応じた放射線画像の画像データを生成し、それを画像表示装置３へ送信することが可能となっている。
なお、放射線撮影装置２の詳細については後述する。
【００１５】
画像表示装置３は、ＰＣや携帯端末又は専用の装置によって表示部３ａを有するように構成されており、放射線撮影装置２等と無線で通信可能に接続されている。
そして、画像表示装置３は、放射線撮影装置２から無線にて画像データを受信し、当該画像データに基づく診断用画像を表示部３ａに表示することが可能となっている。
なお、本放射線撮影システム１００に、例えば、放射線照射装置１や放射線撮影装置２の各種撮影条件を設定するためのコンソールや、画像データに所定の画像処理を施す専用の解析装置等を接続し、それらを画像表示装置３として用いてもよい。
【００１６】
〔放射線撮影装置の構成〕
次に、上記放射線撮影システム１００が備える放射線撮影装置２の構成について説明する。図２は放射線撮影装置２の斜視図、図３は図２のIII−III断面図、図４は放射線撮影装置２が備えるセンサー基板の平面図、図５は放射線撮影装置２の一部の電気的構成を表すブロック図である。
なお、図２には、放射線撮影装置２として、パネル型をした可搬型のものを例示したが、本発明は、支持台等と一体的に形成されたいわゆる据え付け型の放射線撮影装置に対しても適用可能である。
【００１７】
本実施形態に係る放射線撮影装置２は、放射された放射線（Ｘ線等）を可視光等の他の波長の電磁波に変換して電気信号を得るいわゆる間接型のもので、図２，３に示したように、筐体２１の他、この筐体２１に収納される、シンチレーター２２、センサー基板２３、制御基板２４、無線モジュール２５、バッテリー２６、温度センサー２７，２８等を備えて構成されている。
【００１８】
筐体２１の側面には、図２に示したように、電源スイッチ２１ａや操作スイッチ２１ｂ、インジケーター２１ｃ、コネクター２１ｄ等が設けられている。
また、筐体２１が有する複数の面のうちの一つが放射線入射面２１ｅとなっている。
【００１９】
シンチレーター２２は、例えばＣｓＩの柱状結晶等で平板状に形成され、放射線を受けることで発光する、すなわち、放射線よりも波長の長い電磁波（例えば可視光等）を、線量に応じた強度で発するようになっている。
また、シンチレーター２２は、図３に示したように、筐体２１内に、放射線入射面２１ｅと平行に広がるよう配置されている。
【００２０】
センサー基板２３は、電荷を蓄積可能な複数の画素Ｐが二次元状に配列されるとともに、放射線入射面２１ｅやシンチレーター２２と平行に広がるよう配置されている。
本実施形態の場合は、図４に示したように、基板２３ａ、複数の走査線２３ｂ、複数の信号線２３ｃ、複数の放射線検出素子２３ｄ、複数のＴＦＴ２３ｅ、複数のバイアス線２３ｆ等で構成されている。そして、隣り合う走査線２３ｂ及び隣り合う信号線２３ｃに囲まれる矩形領域が一つの画素Ｐとなる。
また、各ＴＦＴ２３ｅのゲートは走査線２３ｂに、ソースは信号線２３ｃに、ドレインは放射線検出素子２３ｄに、それぞれ接続されている。
また、各走査線２３ｂの端部（端子）は図示しないゲートドライバーに、各信号線２３ｃの端部（端子）は図示しない読み出し回路に、バイアス線２３ｆは図示しない電源回路に、それぞれ接続されている。
以下、場合によって、上述したシンチレーター２２及びセンサー基板２３を合わせたものをセンサーパネル２ａと称する。
【００２１】
制御基板２４は、図３，５に示したように、センサー基板２３の、シンチレーター２２と対向する面とは反対側の面に配置されている。
制御基板２４は、図示しない配線によって図示しないゲートドライバーや、読み出し回路、電源回路等に接続されている。
また、制御基板２４は、ＣＰＵ２４ａの他、図示しないＲＡＭやＲＯＭ等を備えている。
ＣＰＵ２４ａは、放射線撮影装置２の各部の動作を統括的に制御するように構成されている。具体的には、ＲＯＭに記憶されている各種プログラムを読み出してＲＡＭに展開し、当該プログラムに従って各部を動作させるための各種処理を実行する。
【００２２】
無線モジュール２５も、制御基板２４と同様に、センサー基板２３の、シンチレーター２２と対向する面とは反対側の面に配置されている。
無線モジュール２５は、複数の増幅回路２５ａと各増幅回路２５ａに接続された複数のアンテナ２５ｂとを備えて構成されている。
なお、図５には、無線モジュール２５として、増幅回路２５ａ及びアンテナ２５ｂを３組備えるものを例示したが、２組又は４組以上備えるものとしてもよい。
各増幅回路２５ａは、制御基板２４とコマンドラインで接続されている。
【００２３】
このように構成された無線モジュール２５は、ＣＰＵ２４ａが生成した各種データを無線通信にて外部へ送信することが可能となっている。
また、無線モジュール２５は、ＭＩＭＯ（multiple-input and multiple-output）を用いた通信が可能となっている。具体的には、制御基板２４のＣＰＵ２４ａからの制御信号に従い、データ送信にて使用するアンテナ２５ｂの本数（駆動させる増幅回路２５ａの数）を増減させることが可能となっている。
【００２４】
〔温度センサー〕
次に、上記放射線撮影装置２が備える温度センサーについて説明する。図６は第一温度センサーの配置例を表す模式図、図７は第一温度センサー及び第二温度センサーの配置例を表す模式図である。
【００２５】
第一温度センサー２７は、制御基板２４のＣＰＵ２４ａへ接続され、センサーパネル２ａ及び無線モジュール２５の近傍に取り付けられている。すなわち、センサーパネル２ａにおける無線モジュール２５近傍の部位の温度を測定するようになっている。
第一温度センサー２７の取り付け位置は、センサーパネル２ａにおける、無線モジュール２５の発熱の影響が大きい部位、すなわち無線モジュール２５の発熱により短時間で濃度ムラを生じる温度まで上昇してしまう部位の表面とするのが好ましい。具体的には、例えば図６（ａ）、（ｂ）に示したように、センサーパネル２ａと無線モジュール２５との間としたり、図６（ｃ）に示したように、放射線入射面２１ｅと直交する方向から見たときの無線モジュールの輪郭線に接するあるいは当該輪郭線が通る箇所、あるいは当該輪郭線から外側へ所定距離ｄだけ離れた箇所としたりするのが好ましい。
【００２６】
なお、温度センサーは、複数備えることもできる、その場合に取り付けられる第二温度センサー２８は、制御基板２４のＣＰＵ２４ａへ接続され、センサーパネル２ａにおける、第一温度センサー２７が温度を測定する部位とは異なる部位の温度を測定することとなる。
第二温度センサー２８の取り付け位置は、センサーパネル２ａの表面における、無線モジュール２５の中心から見て、第一温度センサー２７よりも離れた位置であればよいが、センサーパネル２ａにおける、無線モジュール２５の発熱の影響が小さい部位、すなわち無線モジュール２５の発熱が所定時間続いても温度上昇が余り生じない部位の表面とするのが好ましい。具体的には、例えば図７に示したように、放射線入射面２１ｅと直交する方向から見たときの無線モジュールの輪郭線よりも外側（当該輪郭線に接する場合を含む）とするのが好ましい。
【００２７】
このように構成された放射線撮影装置２の制御基板２４が有するＣＰＵ２４ａは、以下のような機能を有する。
例えば、ＣＰＵ２４ａは、センサー基板の各画素Ｐが蓄積した電荷に基づいて画像データを生成する機能を有している。具体的には、ゲートドライバーにＴＦＴ２３ｅをオフにさせて放射線検出素子２３ｄが発生させた電荷を画素Ｐに蓄積させ、次いでゲートドライバーにＴＦＴ２３ｅをオンにさせて蓄積された電荷を信号線２３ｆを介して読み出し回路へ送らせ、読み出し回路が読み出した複数の信号値から画像データを生成する。
すなわち、ＣＰＵ２４ａは、本発明における画像生成手段をなす。
【００２８】
また、ＣＰＵ２４ａは、第一温度センサー２７から測定値を取得する機能を有する。
なお、温度センサーが複数の場合は、取得した各測定値のうち一の測定値から他の測定値を減算することで温度の差分値を算出する機能を更に持たせる。
また、ＣＰＵ２４ａは、取得した測定値又は差分値を所定の閾値と比較する機能を有する。
また、ＣＰＵ２４ａは、第一温度センサー２７の測定値、又は第一温度センサー２７の測定値と第二温度センサー２８の測定値との差分値に基づいて、無線モジュール２５が画像データの送信に使用するアンテナ２５ｂの本数を制御する機能を有する。
【００２９】
比較のための閾値は、センサーパネル２ａにおける室温の部位の感度と第一温度センサー２７の測定対象部位の感度との差が、濃度ムラが視認される程度となるような測定対象部位の限界温度以下の値とする。
なお、温度センサーを複数用いる場合の閾値は、第一温度センサー２７の測定対象部位の感度と第二温度センサー２８の測定対象部位の感度との差が、濃度ムラが視認される程度となるような限界差分値以下の値とする。
特に、限界温度や限界差分値よりも数℃低い温度又は差分値を閾値とするのが、濃度ムラ発生防止の観点から好ましい。
【００３０】
〔通信速度制御処理〕
次に、放射線撮影装置２が実行する通信速度制御処理について説明する。図８は通信速度制御処理のフローチャートである。
ＣＰＵ２４ａは、上記機能の他に、所定条件の成立（例えば、ユーザーによる所定操作があったこと、ＣＰＵ２４ａが無線モジュール２５へ画像データの送信を開始したこと、無線モジュールに電力が供給されたこと等）を契機として、通信速度制御処理を実行する機能を有している。
【００３１】
この通信速度制御処理では、図８に示したように、まず、第一温度センサー２７から、センサーパネル２ａの温度の測定値を取得する（ステップＳ１）。
ここで、温度センサーを複数備える場合には、ステップＳ１において、各温度センサー２７，２８の測定値をそれぞれ取得し、一の測定値から他の測定値を減算して差分値を算出する処理を行う。
次に、取得した測定値又は差分値を所定の閾値と比較し、閾値以上であるか否かを判定する（ステップＳ２）。
【００３２】
ステップＳ２において、測定値又は差分値が閾値以上であると判定した場合（ステップＳ２；Ｙｅｓ）は、無線モジュールが画像データの送信に使用しているアンテナの本数が一本であるか否かを判定する（ステップＳ３）。
ステップＳ３において、使用しているアンテナの本数が一本であると判定した場合（ステップＳ３；Ｙｅｓ）は、ステップＳ１の処理に戻る。
一方、ステップＳ３において、使用しているアンテナの本数が一本でない、すなわち、２本以上であると判定した場合（ステップＳ３；Ｎｏ）は、使用するアンテナの本数を一本減らすことを指示する信号を無線モジュールへ送信して（ステップＳ４）、ステップＳ５の処理へ進む。
無線モジュール２５は、この信号を受信すると、それまでよりも使用するアンテナを一本少なくして通信を継続することになる。
【００３３】
ステップＳ２において、温度センサー２７，２８から取得した測定値又は差分値が閾値以上でない、すなわち閾値未満であると判定した場合（ステップＳ２；Ｎｏ）は、使用しているアンテナの本数が最大本数であるか否かを判定する（ステップＳ６）。
ステップＳ６において、使用しているアンテナの本数が最大本数であると判定した場合（ステップＳ６；Ｙｅｓ）は、ステップＳ１の処理に戻る。
一方、ステップＳ６において、使用しているアンテナの本数が最大本でないと判定した場合（ステップＳ６；Ｎｏ）は、使用するアンテナの本数を一本増やすことを指示する信号を無線モジュール２５へ送信して（ステップＳ７）、ステップＳ５の処理へ進む。
無線モジュール２５は、この信号を受信すると、それまでよりも使用するアンテナを一本多くして通信を継続することになる。
【００３４】
ステップＳ５では、自身（ＣＰＵ２４ａ）が画像データを無線モジュール２５へ送信している最中であるか否かを判定する。
ステップＳ５において、画像データを送信している最中であると判定した場合（ステップＳ５；Ｙｅｓ）は、ステップＳ１の処理に戻る。
一方、ステップＳ５において、画像データを送信していないと判定した場合（ステップＳ５；Ｎｏ）は、通信速度制御処理を終了する。
ＣＰＵ２４ａは、このような処理を実行することにより、本発明における通信制御手段をなす。
なお、本処理の開始時におけるアンテナの使用本数に特に指定は無いが、画像データの送信をできるだけ早めるため最大本数とするのが好ましい。
【００３５】
以上説明してきたように、本実施形態に係る放射線撮影装置２は、放射線を受けることで発光する平板状のシンチレーター２２、及び電荷を蓄積可能な複数の画素Ｐが二次元状に配列されるとともにシンチレーター２２と平行となるよう配置されたセンサー基板２３を有するセンサーパネル２ａと、センサー基板２３の各画素Ｐが蓄積した電荷に基づいて画像データを生成するＣＰＵ２４ａ（画像生成手段）と、複数のアンテナを備え、ＣＰＵ２４ａが生成した画像データを無線通信にて画像表示装置３（外部）へ送信することが可能な無線モジュール２５と、センサーパネル２ａにおける無線モジュール２５近傍の部位の温度を測定する第一温度センサー２７と、第一温度センサー２７の測定値に基づいて、無線モジュール２５が画像データの送信に使用するアンテナ２５ｂの本数を制御するＣＰＵ２４ａ（通信制御手段）と、を備えたものとなっている。
【００３６】
無線モジュール２５の各増幅回路２５ａは、データの送信を行うと発熱する。また、データの送信に使用するアンテナの本数が多ければ多いほど、使用する増幅回路数も増えるため、その分発熱量も大きくなる。そして、この無線モジュールが発する熱が、近接するセンサーパネル２ａの温度を上昇させる。
無線モジュール２５は、センサーパネル２ａに比べて小さいため、センサーパネル２ａの一部と対向することとなる。このため、無線モジュール２５が発熱すると、センサーパネル２ａの一部の温度だけが上昇する。
センサーパネル２ａの感度（放射線の線量に対するシンチレーター２２の発光強度、あるいは画素Ｐへ蓄積される電荷量）は、センサーパネルの温度によって変化する。つまり、センサーパネル２ａの一部の温度が周囲に比べて上昇すると、画素Ｐの感度にばらつき（一部の画素Ｐだけ感度が異なる状態）が生じてしまう。
【００３７】
しかし、本実施形態に係る放射線撮影システムを用いれば、無線モジュール２５がデータの送信を行っている間に、センサーパネル２ａにおける無線モジュール近傍の部位の温度が閾値を超えると、無線モジュール２５が使用するアンテナを減らす。このため、無線モジュール２５の発熱量が低下し、それまで温度が閾値を超えていたセンサーパネル２ａの一部の温度が低下し始める。これにより、送信中の画像データに濃度ムラが生じにくくなる。
【００３８】
一方、本実施形態に係る放射線撮影装置２は、内部を冷却する手段を備えていないため、センサーパネル２ａの温度低下は緩やかなものとなる。しかし、無線モジュール２５は、使用するアンテナの本数を減らしつつも、画像データの送信は継続するため、従来のような無線モジュールの温度が上昇した場合に画像データの送信を停止してしまう装置に比べ、画像データを早くコンソール等の画像表示装置へ送信することができる。
すなわち、画像データ送信を停止させることなく無線モジュールの発熱を抑制することができ、その結果、画像データが届かないことにより診断が遅れるという事態を起きにくくすることができる。
【００３９】
また、温度センサーを複数用いる場合には、無線モジュール２５の発熱の影響が大きい部位の温度と影響が小さい部位の温度をそれぞれ検出することにより、画像に生じることとなる濃度ムラの程度を把握することができるようになる。このため、一つの第一温度センサー２７のみの場合よりも正確に使用するアンテナの本数を制御することができる。その結果、データ送信に使用するアンテナ本数を無駄に減らすことなく、効率よく画像データを送信することができる。
【００４０】
なお、上記通信速度制御処理において、無線モジュール２５が画像データの送信に使用するアンテナ２５ｂの本数に応じて、アンテナ２５ｂ一本当りの使用電力を制御するようにしてもよい。具体的には、各増幅回路２５ａを、使用するアンテナの本数を増やすことを指示する信号を送信する際に使用電力を増やし、アンテナの本数を減らす際に使用電力を減らすようにする。
このようにすれば、本発明における電力制御手段をなすこととなり、使用するアンテナの本数を制御するだけの場合よりも無線モジュール２５の発熱を抑制することができる。
【００４１】
＜第二実施形態＞
以下、本発明の第二実施形態について説明する。ここでは、第一実施形態と同様の構成には同一の符号を付し、その説明を省略する。
【００４２】
第一実施形態に係る放射線撮影システム１００が備える放射線撮影装置２は、温度センサーの測定値に基づいて無線モジュール２５が画像データの送信に使用するアンテナの使用本数を制御するようになっていたが、本実施形態に係る放射線撮影システム１００Ａが備える放射線撮影装置２Ａは、設定した撮影モードに基づいてアンテナの本数を制御するようになっている。
このため、本実施形態の放射線撮影装置２Ａは、ＣＰＵ２４ａが実行する処理が第一実施形態と異なる。
【００４３】
撮影モードとは、放射線撮影装置２Ａの撮影動作を規定するものであり、本実施形態においては、静止画撮影モードと動画撮影モードの２種類がある。
静止画撮影モードは、一回の曝射スイッチの操作で１枚の画像を撮影する撮影モードである。動画撮影モードは、一回の曝射スイッチの操作の間に複数枚のフレーム画像を繰り返し撮影する撮影モードである。
動画は、複数のフレーム画像からなるため、静止画よりもデータ量が多くなるのが一般的である。つまり、静止画撮影モード及び動画撮影モードは、それぞれ生成する画像データのデータ量が異なる撮影モードということになる。
【００４４】
本実施形態の放射線撮影装置２ＡのＣＰＵ２４ａは、例えば、放射線撮影装置２Ａに接続されるコンソールからの制御信号を受信したことや、放射線撮影装置２に設けられた操作スイッチ２１ｂが操作されたことに基づいて撮影モードを複数の撮影モードのいずれかに設定する機能を有している。すなわち、ＣＰＵ２４ａは、本発明における撮影モード設定手段をなす。
また、ＣＰＵ２４ａは、撮影モードを設定したことに伴い、使用するアンテナの本数を制御する。具体的には、撮影モードを動画撮影モードに設定した場合に使用するアンテナの本数を減らし（最大数ではない本数とし）、静止画撮影モードに設定した場合に使用するアンテナの本数を増やす（複数とする）。すなわち、ＣＰＵ２４ａは、本発明における通信制御手段をなす。
【００４５】
なお、本実施形態のＣＰＵ２４ａは、使用するアンテナの本数の制御に温度を用いないため、第一実施形態のＣＰＵ２４ａが有していた温度センサー２７，２８から測定値を取得する機能や、温度の差分値を算出する機能、測定値又は差分値を所定の閾値と比較する機能、通信速度制御処理を実行する機能を有していない。
【００４６】
以上説明してきたように、本実施形態に係る放射線撮影装置２Ａは、放射線を受けることで発光する平板状のシンチレーター２２と、電荷を蓄積可能な複数の画素Ｐが二次元状に配列されるとともにシンチレーター２２と平行となるよう配置されたセンサー基板２３と、センサー基板２３の各画素Ｐが蓄積した電荷に基づいて画像データを生成するＣＰＵ２４ａ（画像生成手段）と、複数のアンテナ２５ｂを備え、ＣＰＵ２４ａが生成した画像データを無線通信にて画像表示装置３（外部）へ送信することが可能な無線モジュール２５と、ＣＰＵ２４ａの撮影動作を規定する撮影モードを、それぞれ生成する画像データのデータ量が異なる静止画撮影モードと動画撮影モードのいずれかに設定するＣＰＵ２４ａ（撮影モード設定手段）と、ＣＰＵ２４ａが設定した撮影モードに基づいて、無線モジュール２５が画像データの送信に使用するアンテナ２５ｂの本数を制御するＣＰＵ２４ａ（通信制御手段）と、を備えたものとなっている。
こうすることによっても、第一実施形態と同様に、画像データ送信を停止させることなく無線モジュールの発熱を抑制することができ、その結果、画像データが届かないことにより診断が遅れるという事態を起きにくくすることができる。
【００４７】
なお、本発明が上記の各実施形態や各変形例に限定されず、本発明の趣旨を逸脱しない限り、適宜変更可能であることは言うまでもない。
【符号の説明】
【００４８】
１００，１００Ａ  放射線撮影装置
１  放射線照射装置
１１  ジェネレーター
１２  曝射スイッチ
１３  放射線源
２，２Ａ  放射線撮影装置
２１  筐体
２１ａ  電源スイッチ
２１ｂ  操作スイッチ
２１ｃ  インジケーター
２１ｄ  コネクター
２１ｅ  放射線入射面
２ａ  センサーパネル
２２  シンチレーター
２３  センサー基板
２３ａ  基板
２３ｂ  走査線
２３ｃ  信号線
２３ｄ  放射線検出素子
２３ｆ  バイアス線
２４  制御基板
２５  無線モジュール
２５ａ  増幅回路
２５ｂ  アンテナ
２６  バッテリー
２７  第一温度センサー
２８  第二温度センサー
３  画像表示装置
３ａ  表示部
Ｐ  画素
Ｘ  放射線
【図１】
2019115422.tif 000003
【図２】
2019115422.tif 000004
【図３】
2019115422.tif 000005
【図４】
2019115422.tif 000006
【図５】
2019115422.tif 000007
【図６】
2019115422.tif 000008
【図７】
2019115422.tif 000009
【図８】
2019115422.tif 000010